(57)【要約】【課題】男性器に対する固定効果が高く、尿漏れの原因となる尿パッドのズレや外れを有効に防止することが可能な男性用尿パッドを提供する。【解決手段】表面シート２と、裏面シート４と、両シートの間の一部に介装された吸収体６とを備え、男性器１８を被包して用いる男性用尿パッド１であって、表面シート２側の面に、男性器１８の挿入部４４を形成するベルト状部材２４が付設されている男性用尿パッド１。【選択図】図４
2007068642.tif 000002
【特許請求の範囲】
【請求項１】
表面シートと、裏面シートと、両シートの間の一部に介装された吸収体とを備え、男性器を被包して用いる男性用尿パッドであって、
前記表面シート側の面に、男性器の挿入部を形成するベルト状部材が付設されている男性用尿パッド。
【請求項２】
前記吸収体が切り欠け部を有するものであり、前記切り欠け部が前記男性器の挿入部に対応する位置に配置されている請求項１に記載の男性用尿パッド。
【請求項３】
スポンジ状部材を更に備え、前記スポンジ状部材の少なくとも一部が、前記吸収体の前記切り欠け部に嵌合されるように配置されている請求項２に記載の男性用尿パッド。
【請求項４】
前記ベルト状部材が、長手方向の少なくとも一方の端部において前記表面シート側の面と固着されている請求項１〜３のいずれか一項に記載の男性用尿パッド。
【請求項５】
前記ベルト状部材が、尿パッドの上端縁に沿って配置され、長手方向の２箇所において前記表面シート側の面と固着され、その２箇所の固着部の間に男性器の挿入部が形成されている請求項１〜４のいずれか一項に記載の男性用尿パッド。
【請求項６】
前記ベルト状部材は、その長手方向に沿って、ベルト伸縮材が配置されたものである請求項５に記載の男性用尿パッド。
【請求項７】
前記ベルト状部材は、尿パッドの上端縁に沿って配置されるとともに、その一部において前記表面シート側の面と固着され、長手方向の少なくとも一方の端部が自由端となっており、前記自由端にファスナーの少なくとも一方の締結要素が配設されている請求項１〜４のいずれか一項に記載の男性用尿パッド。
【請求項８】
前記ベルト状部材は、長手方向の一方の端部において前記表面シート側の面と固着され、他方の端部が自由端となっており、前記自由端にファスナーの一方の締結要素が配設されている請求項７に記載の男性用尿パッド。
【請求項９】
前記ベルト状部材は、その中央部において前記表面シート側の面と固着されるとともに、長手方向の双方の端部が自由端となっており、一方の自由端にファスナーの一方の締結要素が配設され、他方の自由端にファスナーの他方の締結要素が配設されている請求項７に記載の男性用尿パッド。
【請求項１０】
前記裏面シート側の表面に、装着用の粘着部が更に形成された請求項１〜９のいずれか一項に記載の男性用尿パッド。
【請求項１１】
尿パッドの上端縁側を開口部とする袋状に形成された請求項１〜９のいずれか一項に記載の男性用尿パッド。
【発明の詳細な説明】
【技術分野】
【０００１】
本発明は、表面シートと、裏面シートと、両シートの間の一部に介装された吸収体とを備え、男性器を被包して用いる男性用尿パッドに関するものである。
【背景技術】
【０００２】
従来、乳幼児用、或いは高齢者・障害者等の成人用の吸収性物品として、表面シートと、裏面シートと、両シートの間の一部に介装された吸収体とを備えた使い捨ておむつや尿パッドが広く利用されている。そして、男性用に特化した吸収性物品として、男性器を被包して用いるタイプの男性用尿パッドが知られている（例えば、特許文献１参照）。この男性用尿パッドは、従来の使い捨ておむつや尿パッドと同様に、表面シート、裏面シート及び吸収体を備えた吸収性物品であるが、単に着用者に宛がうのではなく、男性器を被包して用いる点に特徴がある。
【０００３】
例えば、図１に示す男性用尿パッド１００は、表面シート２と、裏面シート４と、両シートの間の一部に介装された吸収体６とを備えており、更に裏面シート４側の表面に、装着用の粘着部８が形成されている。このような男性用尿パッド１００は、その上端縁１０が手前側（着用者の身体側）となるように男性器１８の下側から宛がい、直線Ｌ1，Ｌ2に沿って、パッドの右側縁１２、左側縁１４をパッド中央側に折り返した後、粘着部８を左側縁１４側の表面シート２に対して固定した状態で用いられる。こうすることにより、男性用尿パッド１００は、上端縁１０側を開口部、下端縁１６側を頂点とするコーン状（サック状）となるため、男性器１８を被包することができる。
【０００４】
前記のような男性用尿パッドは男性器を被包した状態で用いるため、使い捨ておむつ、或いは単に下着やおむつ上に載置して用いる尿パッドと比較して、排泄物と着用者の肌との接触面積を少なくすることができる。従って、排泄物に起因するスキントラブルを減少させることが可能となるという利点がある。
【０００５】
しかしながら、前記のような男性用尿パッドは、着用者の動作等によって男性器から尿パッドがズレたり外れたりし易く、尿漏れを惹起するおそれがあるという課題があった。従って、尿漏れの原因となる尿パッドのズレや外れを防止するために、様々な方法が提案されている。
【０００６】
例えば、表面シートと裏面シートとの間に配設された吸収体を有し、吸収体の外側（外縁）に、長手方向（左右方向）に沿ってフラップ部が形成され、そのフラップ部の長手方向の略中央部に切り込み部（スリット）が形成された男性用尿パッドが提案されている（例えば、特許文献２参照）。
【０００７】
【特許文献１】特開平８−２８０７２７号公報（段落０００３、図１）
【特許文献２】特開２００１−１２９０１２号公報（段落０００７、図１）
【発明の開示】
【発明が解決しようとする課題】
【０００８】
特許文献２に記載の男性用尿パッドは、スリットを形成することにより、尿パッドの裏面シート側から表面シート側に男性器を貫通させるように挿入することを可能としたものである。このような尿パッドによれば、スリットによって男性器が挟持されるため、単に尿パッドで男性器を被包する場合と比較して、尿パッドを男性器に対して固定する効果が高く、尿パッドのズレや外れを防止する効果を期待することができる。
【０００９】
しかしながら、特許文献２に記載の男性用尿パッドは、尿パッドのズレや外れを防止するという点で一定の効果を奏するものの、その効果は十分に満足できるレベルにまでは至っていなかった。即ち、男性器に対する固定効果の点で改良の余地があり、未だ解決すべき課題を残すものであった。
【００１０】
本発明は、このような従来技術の課題を解決するためになされたものであって、男性器に対する固定効果が高く、尿漏れの原因となる尿パッドのズレや外れを有効に防止することが可能な男性用尿パッドを提供するものである。
【課題を解決するための手段】
【００１１】
本発明者は、前記のような従来技術の課題を解決するために鋭意検討した結果、尿パッドの表面シート側の面に、男性器の挿入部を形成するベルト状部材を付設することによって、上記課題が解決されることに想到し、本発明を完成させた。具体的には、本発明により、以下の男性用尿パッドが提供される。
【００１２】
［１］  表面シートと、裏面シートと、両シートの間の一部に介装された吸収体とを備え、男性器を被包して用いる男性用尿パッドであって、前記表面シート側の面に、男性器の挿入部を形成するベルト状部材が付設されている男性用尿パッド。
【００１３】
［２］  前記吸収体が切り欠け部を有するものであり、前記切り欠け部が前記男性器の挿入部に対応する位置に配置されている前記［１］に記載の男性用尿パッド。
【００１４】
［３］  スポンジ状部材を更に備え、前記スポンジ状部材の少なくとも一部が、前記吸収体の前記切り欠け部に嵌合されるように配置されている前記［２］に記載の男性用尿パッド。
【００１５】
［４］  前記ベルト状部材が、長手方向の少なくとも一方の端部において前記表面シート側の面と固着されている前記［１］〜［３］のいずれかに記載の男性用尿パッド。
【００１６】
［５］  前記ベルト状部材が、尿パッドの上端縁に沿って配置され、長手方向の２箇所において前記表面シート側の面と固着され、その２箇所の固着部の間に男性器の挿入部が形成されている前記［１］〜［４］のいずれかに記載の男性用尿パッド。
【００１７】
［６］  前記ベルト状部材は、その長手方向に沿って、ベルト伸縮材が配置されたものである前記［５］に記載の男性用尿パッド。
【００１８】
［７］  前記ベルト状部材は、尿パッドの上端縁に沿って配置されるとともに、その一部において前記表面シート側の面と固着され、長手方向の少なくとも一方の端部が自由端となっており、前記自由端にファスナーの少なくとも一方の締結要素が配設されている前記［１］〜［４］のいずれかに記載の男性用尿パッド。
【００１９】
［８］  前記ベルト状部材は、長手方向の一方の端部において前記表面シート側の面と固着され、他方の端部が自由端となっており、前記自由端にファスナーの一方の締結要素が配設されている前記［７］に記載の男性用尿パッド。
【００２０】
［９］  前記ベルト状部材は、その中央部において前記表面シート側の面と固着されるとともに、長手方向の双方の端部が自由端となっており、一方の自由端にファスナーの一方の締結要素が配設され、他方の自由端にファスナーの他方の締結要素が配設されている前記［７］に記載の男性用尿パッド。
【００２１】
［１０］  前記裏面シート側の表面に、装着用の粘着部が更に形成された前記［１］〜［９］のいずれか一項に記載の男性用尿パッド。
【００２２】
［１１］  尿パッドの上端縁側を開口部とする袋状に形成された前記［１］〜［９］のいずれか一項に記載の男性用尿パッド。
【発明の効果】
【００２３】
本発明の男性用尿パッドは、男性器に対する固定効果が高く、尿漏れの原因となる尿パッドのズレや外れを有効に防止することが可能となる。
【発明を実施するための最良の形態】
【００２４】
以下、本発明の男性用尿パッドを実施するための最良の形態について、図面を参照しながら具体的に説明する。但し、本発明はその発明特定事項を備える男性用尿パッドを広く包含するものであり、以下の実施形態に限定されるものではない。
【００２５】
なお、本明細書においては、尿パッドにおいて吸収体が配置されていない部分を「フラップ」と称することにする。例えば、図２に示す男性用尿パッド１の場合、矩形状に構成された尿パッドの中央部に、吸収体６が配置されており、その吸収体６を包囲するようにフラップが形成されている。具体的には、尿パッドの上端縁１０側に上部フラップ２０、下端縁１６側に下部フラップ２８、右側縁１２側に右フラップ３０、左側縁１４側に左フラップ３２が形成されている。
【００２６】
［１］本発明の構成：
本発明の男性用尿パッドは、例えば、図２〜図４に示す男性用尿パッド１のように、表面シート２側の面に、男性器１８の挿入部４４を形成するベルト状部材２４を付設したものである。この男性用尿パッド１は、男性器１８を、表面シート２側の面に付設されたベルト状部材２４の下面側を通すように挿入して使用するものである。
【００２７】
［１−１］前記構成に伴う効果：
前記のような構成の男性用尿パッドによれば、男性器１８は、一定の幅を有するベルト状部材２４と表面シート２等によって形成される挿入部４４によって把持される。従って、男性器に対する固定効果を向上させることができ、尿漏れの原因となる尿パッドのズレや外れを有効に防止することが可能となる。
【００２８】
一方、特許文献２に記載の男性用尿パッドのように、１本のスリットで男性器を挟持した場合には、そのスリットの一点で男性器を固定することになる。従って、本発明の男性用尿パッドと比較して、男性器に対する固定効果が低いことに加え、着用者の動作に伴って尿パッドが左右に動き易く、男性器から尿パッドがズレたり外れたりするおそれがある。
【００２９】
［１−２］ベルト状部材：
本発明の男性用尿パッドは、ベルト状部材が付設されているという特徴的な構成を有するものである。本明細書にいう「ベルト状部材」とは、男性器を固定する平帯状の部材を意味する。そして、「付設されている」とは、ベルト状部材が、尿パッドの本体を構成する表面シートや裏面シートとは独立した、別体の部材であることを意味している。
【００３０】
前記のような条件を満たすものであれば、ベルト状部材の構成について特に制限はない。例えば、図２〜図４に示す男性用尿パッド１のように、長手方向の２箇所において表面シート２側の面と固着され、その２箇所の固着部４６ａ，４６ｂの間に男性器１８の挿入部４４が形成されているタイプのものを挙げることができる（以下、「固定型ベルト状部材」と称することにする）。固定型ベルト状部材は、使い捨ておむつ等の吸収性物品によく用いられる立体ギャザーと同様の方法で付設することができ、連続的な製造が容易であるという利点がある。
【００３１】
また、ベルト状部材としては、その一部において表面シート側の面と固着され、長手方向の少なくとも一方の端部が自由端となっており、自由端にファスナーの少なくとも一方の締結要素が配設されているタイプのものも用いることができる（以下、「ファスナー型ベルト状部材」と称することにする）。ファスナー型ベルト状部材は、ファスナーの留め方によって、男性器の挿入部のサイズを調節することができるため、着用者の男性器に対するフィット性を向上させることができる。即ち、男性器のサイズの如何に拘わらず優れた固定効果を得ることが可能である。また、テープ型使い捨ておむつに用いられるテープファスナーやパンツ型使い捨ておむつに用いられる廃棄テープと同様の方法で付設することができ、連続的な製造が容易であるという点においても好ましい。
【００３２】
本明細書にいう「ファスナー」には、粘着剤により締結を行う粘着ファスナーや機械的な結合により締結を行うメカニカルファスナー（面状ファスナー等）が含まれる。但し、表面シートに直接締結した場合でも、表面シートの損傷が少なく、締結をやり直す際にも締結力が殆ど低下しないという点において、メカニカルファスナーを好適に用いることができる。
【００３３】
メカニカルファスナーの場合は締結要素としては、フックとループ等を挙げることができる。但し、ループを配置することなく、表面シートに直接締結することもできる。即ち、フックと表面シートを締結要素としてもよい。粘着ファスナーの場合の締結要素としては、粘着部と被粘着部等を挙げることができる。被粘着部については、フロンタルテープのような被粘着部を別途配設してもよいし、表面シートやベルト状部材等、尿パッドの一部を被粘着部として利用してもよい。なお、粘着ファスナーは使用前に粘着力が低下することを防止するために、粘着部を保護しておくことが好ましい。保護の方法としては、粘着部に対して別体の剥離ライナーを貼着して保護する方法もあるが、ベルト状部材に粘着部とともに剥離部を形成し、粘着部に対して剥離部を重ね合わせるように貼着して保護する方法が好ましい。後者の方法では、ベルト状部材として、全体がくの字状ないしＺ折状に折り畳まれ、その折り畳み部分において粘着部と剥離部とが貼着されているものを好適に用いることができる。
【００３４】
ファスナー型ベルト状部材のより具体的な形態としては、長手方向の一方の端部が表面シート側の面と固着され、他方の端部が自由端となっており、自由端にファスナーの一方の締結要素が配設されているものを挙げることができる。
【００３５】
例えば、図５〜図７に示す男性用尿パッド７０は、ベルト状部材２４の自由端４８に一方の締結要素である粘着部５０を形成した例である。この尿パッドは、ベルト状部材２４が長手方向の一方の端部５２において表面シート２側の面と固着され、他方の端部が自由端４８となっており、被粘着部となる表面シート２に対して自由端４８に形成された粘着部５０を貼着して用いるものである。このような尿パッドの場合、男性器１８はその上面側をベルト状部材２４により、下面側を表面シート２によりホールドされる。そして、固着部４６が尿パッドの長手方向の中央部からやや左側縁１４寄りに配置されているため、男性器１８を尿パッドの長手方向の中央部に固定することができる。
【００３６】
また、図８に示す男性用尿パッド８０は、図５〜図７に示す男性用尿パッド７０と同様に、ベルト状部材２４の自由端４８に一方の締結要素である粘着部５０を形成した例である。この尿パッドは、ベルト状部材２４の固着部４６ないしその近傍の表面シート２を被粘着部とし、この被粘着部に対して自由端４８に形成された粘着部５０を貼着して用いるものである。このような尿パッドの場合、男性器はその外周全体がベルト状部材２４によって巻回されたような状態でホールドされる。そして、固着部４６が尿パッドの長手方向の中央部に配置されているため、男性器を尿パッドの長手方向の中央部に固定することができる。図８に示す男性用尿パッド８０は、男性器がベルト状部材２４によって巻回されたような状態でホールドされるので、図５〜図７に示す男性用尿パッド７０と比較して、男性器の挙動に対する追従性が高く、男性器に対する固定効果に優れるという利点がある。
【００３７】
更に、ベルト状部材は、その中央部が表面シート側の面と固着されるとともに、長手方向の双方の端部が自由端となっており、一方の自由端にファスナーの一方の締結要素が配設され、他方の自由端にファスナーの他方の締結要素が配設されているものであってもよい。
【００３８】
例えば、図９及び図１０に示す男性用尿パッド９０は、ベルト状部材２４が、その中央部において表面シート２側の面（具体的には表面シート２）と固着されるとともに（固着部４６）、長手方向の双方の端部が自由端４８となっており、一方の自由端４８ａにファスナーの一方の締結要素である粘着部５０を配設し、他方の自由端４８ｂにファスナーの他方の締結要素である被粘着部５４を配設した例である。このような尿パッドは、ベルト状部材２４の自由端４８ａ，４８ｂに配設された締結要素（粘着部５０及び被粘着部５４）を男性器の上面側で締結するため、男性器１８の固定操作や男性器１８の挿入部４４のサイズ調節が容易であるという利点があり好ましい。
【００３９】
以上に説明した各種ベルト状部材の中では、ベルト状部材が、長手方向の少なくとも一方の端部において表面シート側の面と固着されているものが好ましい。例えば、図２〜図４に示す固定型のベルト状部材２４のように、長手方向の双方の端部において表面シート２側の面と固着されているもの、或いは図５〜図８に示すファスナー型のベルト状部材２４のように、長手方向の一方の端部において表面シート２側の面と固着されているものを挙げることができる。これらのベルト状部材は、ベルト状部材の締結操作を必要とせず、或いは一方の端部を締結するのみで男性器を固定することができ、男性器の固定操作が容易であるため好ましい。
【００４０】
また、ベルト状部材が、長手方向の少なくとも１箇所において表面シート側の面と固着され、表面シート側の面とベルト状部材とで男性器の挿入部を形成するものも好ましい。例えば、図２〜図４に示す固定型のベルト状部材２４のように、長手方向の２箇所において表面シート２側の面と固着され、表面シート２側の面とベルト状部材２４とで男性器１８の挿入部４４を形成するもの、或いは図５〜図７に示すファスナー型のベルト状部材２４のように、長手方向の１箇所において表面シート２側の面と固着され、表面シート２側の面とベルト状部材２４とで男性器１８の挿入部４４を形成するものを挙げることができる。これらのベルト状部材は、表面シート側の面に男性器を押し当てるように固定することができるので、男性器をホールドする効果が高い点において好ましい。
【００４１】
以上説明した各種ベルト状部材の形状については特に制限はない。但し、男性器を確実に固定するためには、その幅を５ｍｍ以上とすることが好ましく、１０ｍｍ以上とすることが更に好ましい。一方、男性器の先端部分をベルト部から確実に突出させ、男性器の根元部分での装着性を向上させるという点を考慮すると、その幅を１００ｍｍ以下とすることが好ましく、５０ｍｍ以下とすることが更に好ましい。
【００４２】
ベルト状部材の長さについても特に制限はない。着用者の男性器のサイズやファスナーの形態を考慮した上で、男性器を用意に挿入することができ、かつ、男性器を確実に固定し得る長さに適宜設定すればよい。図２〜図４に示す男性用尿パッド１のような固定型のベルト状部材の場合であれば、２箇所の固着部の間隔が２０〜１００ｍｍであることが好ましく、３０〜８０ｍｍであることが更に好ましい。一方、図５〜図１０に示す男性用尿パッド７０，８０，９０のようなファスナー型のベルト状部材の場合であれば、ファスナー締結時におけるベルト状部材の内周径が５０〜２００ｍｍであることが好ましく、８０〜１５０ｍｍであることが更に好ましい。
【００４３】
各種ベルト状部材は、男性器を表面シートに対して宛うために、尿パッドの表面シート側の面に付設されている必要がある。「表面シート側の面」とは、表面シートが配置されている側の面を意味し、ベルト状部材は表面シートのみならず、他の構成要素に付設されていてもよいことを意味している。
【００４４】
また、各種ベルト状部材は、通常、尿パッドの上端縁に沿って配置される。男性用尿パッドやベルト状部材は全体を矩形状に構成することが多いため、図２〜図４に示す男性用尿パッド１や図５〜図１０に示す男性用尿パッド７０，８０，９０のように、尿パッドの上端縁１０とベルト状部材２４の上端縁とが平行となるように、ベルト状部材２４を配置する構成が一般的である。
【００４５】
なお、図２〜図４に示す男性用尿パッド１は、ベルト状部材２４が尿パッドの上部フラップ２０の部分に配置されているが、本発明の男性用尿パッドはこのようなものには限定されない。即ち、尿パッドの上端縁に沿っている限り、ベルト状部材を上部フラップに配置する必要はなく、吸収体が配置されている部分（以下、「吸収部」と称する場合がある）に重なるように配置してもよい。例えば、図１１に示す男性用尿パッド１１０は、上部フラップ２０のみならず吸収体６が配置された吸収部にも重なるようにベルト状部材２４を配置した例である。
【００４６】
［１−３］ベルト伸縮材：
本発明の男性用尿パッドにおいては、ベルト状部材は、その長手方向に沿って、ベルト伸縮材が配置されたものであることが好ましい。こうすることにより、ベルト状部材に適度な伸縮力が作用するため、男性器をより確実に固定することが可能となる。また、着用者の男性器のサイズに拘らず、良好な固定効果が得られるので、男性器が萎縮してしまうことが多い高齢者・障害者等に特に好適に用いることができる。なお、このような構成は、男性器との間に空隙を生じ易い固定型ベルト状部材（図２参照）や表面シート等を被粘着部とするファスナー型ベルト状部材（図５参照）を用いる場合に特に好ましい形態である。
【００４７】
なお、前記の形態では、ベルト状部材とベルト伸縮材がともに尿パッドの上端縁に沿って配置されることになるため、連続的な製造が容易であるという利点もある。図２に示す男性用尿パッド１の例で言えば、図面の上下方向を製造ラインの流れ方向とすると、ベルト状部材２４やベルト伸縮材３４ａ，３４を、その流れ方向に沿って配置することができ、尿パッドの連続製造が容易となる。
【００４８】
ベルト伸縮材は、ベルト状部材の長手方向に沿って配置する限り、ベルト伸縮材の本数、配置位置、長さ等について特に制限はないが、通常は、ベルト状部材の上端縁ないし下端縁に沿って、これらと平行するようにベルト伸縮材を配置する構成が採用される。そして、ベルト状部材の上端縁側と下端縁側の双方に、少なくとも１本ずつのベルト伸縮材を配置することが好ましい。例えば、図２〜図４に示す男性用尿パッド１は、ベルト状部材２４の上端縁１０に沿ってベルト伸縮材３４ａを配置し、ベルト状部材２４の下端縁１６に沿ってベルト伸縮材３４ｂを配置した例である。
【００４９】
なお、ベルト状部材自体を伸縮性材料で構成した場合にも、ベルト状部材にベルト伸縮材を配置した構成と同様の効果を得ることができる。
【００５０】
［１−４］その他：
本発明の男性用尿パッドにおいては、吸収体が切り欠け部を有するものであり、その切り欠け部が男性器の挿入部に対応する位置に配置されていることが好ましい。例えば、図１２に示す男性用尿パッド１２０は、吸収体６として、全体が矩形状に構成され、その一部に略矩形状の切り欠け部を有する吸収体（以下、「Ｕ字型吸収体」と称することにする）が用いられ、Ｕ字型吸収体３６はその切り欠け部が尿パッドの上端縁１０側を向くように、即ち、男性器の挿入部４４に対応する位置に配置されている。
【００５１】
前記のような形態は、ベルト状部材にベルト伸縮材を配置した場合、或いはベルト状部材自体を伸縮性材料で構成した場合に、その伸縮力が吸収体の剛性によって阻害されることが少なく、十分な伸縮力をもって男性器を固定することができるという利点がある。また、Ｕ字型吸収体の切り欠け部にも伸縮材を配置すれば、男性器の外周全体から伸縮力を発揮させることができるため、男性器の固定効果をより向上させることが可能である。更には、機能を有しない余分なフラップの面積を減少させることができるため、尿パッドの装着性が良好になることに加え、吸収体の装填量を増加させることができ、尿パッドの吸収力を増大させることも可能である。
【００５２】
また、前記のような切り欠け部を有する吸収体を用いる場合には、スポンジ状部材を更に備え、そのスポンジ状部材の少なくとも一部が、吸収体の切り欠け部に嵌合されるように配置したものが好ましい。例えば、図１３及び図１４に示す男性用尿パッド１３０は、吸収体６として、Ｕ字型吸収体３６が用いられ、Ｕ字型吸収体３６はその切り欠け部が尿パッドの上端縁１０側を向くように配置されている。そして、スポンジ状部材４０は、その下端縁側の一部がＵ字型吸収体３６の切り欠け部に嵌合されるように配置されている。
【００５３】
前記のような形態は、表面シートと裏面シートの間にスポンジ状部材を介装した場合でも、スポンジ状部材と吸収体が重畳されることがない。従って、不必要な段差が形成されることがないことに加え、吸収体の剛性によってクッション性が減殺される余分なスポンジ状部材を配置する必要がないという利点がある。但し、スポンジ状部材と吸収体が重畳されるように配置したものも本発明の範囲に含まれる。
【００５４】
切り欠け部を有する吸収体を用いた場合、男性器の挿入部の左右側縁側に張り出すように吸収体が配置されるため、後述するパッド伸縮材を配置しても、吸収体の剛性によってその伸縮力が減殺され、男性器に対する固定効果を向上させることができない場合もある。このような場合に、変形が容易で動作追従性にも優れたスポンジ状部材を男性器の挿入部に配置することによって、男性器に対する良好な密着性・ホールド性を発揮させることが可能となる。前記のような形態は、男性器との間に空隙を生じ易い固定型ベルト状部材（図２参照）や表面シート等を被粘着部とするファスナー型ベルト状部材（図５参照）を用いる場合に特に好ましい形態である。
【００５５】
本明細書において「スポンジ状部材」というときは、独立気泡ないし連続気泡を含む発泡材料（フォーム材料）により構成された部材を意味するものとする。中でも、優れた柔軟性を有する点において、軟質フォーム材料ないし半硬質フォーム材料により構成されたものを好適に用いることができる。具体的には、エーテル系ないしエステル系のポリウレタン樹脂等のプラスチックをベースとする発泡プラスチック（発泡ウレタン樹脂等）；天然ゴム、スチレン−ブタジエンゴム、ニトリルゴム、クロロプレンゴム、多硫化ゴム等のゴムをベースとするフォームラバー；等を挙げることができる。本発明の男性用尿パッドは、高弾性でクッション性に富むという理由から、スポンジ状部材が、発泡ウレタン樹脂によって構成されているものが特に好ましい。
【００５６】
本発明の男性用尿パッドにおいては、スポンジ状部材の厚さは特に制限はなく、構成材料の柔軟性等を考慮して適宜設定することができる。但し、スポンジ状部材は、その厚さが１〜１０ｍｍの範囲内のものであることが好ましい。厚さを１ｍｍ以上とすることでクッション性が高まり、挿入部における男性器の固定効果が向上するという好ましい効果を得ることができる。一方、厚さ１０ｍｍ以下とするとスポンジ状部材が厚過ぎて、男性器を挿入し難くなるという不具合を解消することができるという利点があり好ましい。
【００５７】
また、本発明の男性用尿パッドにおいては、図１３及び図１４に示す男性用尿パッド１３０のように、スポンジ状部材４０を、表面シート２と裏面シート４の間の一部に介装したものが好ましい。このような形態は、スポンジ状部材が表面シートと裏面シートによって挟み込まれた状態で固定されるので、スポンジ状部材の剥離等を防止することができるという利点がある。但し、スポンジ状部材を裏面シート側の面に配置したものや、スポンジ状部材を表面シート側の面に配置したものも当然に本発明の範囲に含まれる。
【００５８】
［２］男性用尿パッドの具体的な実施形態：
本発明の男性用尿パッドは、表面シートと、裏面シートと、両シートの間の一部に介装された吸収体とを備えたものである。この男性用尿パッドは、粘着部を利用して組み立てるタイプのもの（以下、「組み立て型尿パッド」と称することにする）と、予め袋状に形成されたタイプのもの（以下、「袋状尿パッド」と称することにする）とに大別できる。本発明の男性用尿パッドの構成は、組み立て型尿パッド、袋状尿パッドの双方に適用することが可能である。
【００５９】
［２−１］組み立て型尿パッド：
既に説明してきた図２〜図１４に示す男性用尿パッド１，７０，８０，９０，１１０，１２０，１３０は、いずれも組み立て型尿パッドである。例えば、図２〜図４に示す男性用尿パッド１は、表面シート２と、裏面シート４と、両シートの間の一部に介装された吸収体６とを備えており、更に裏面シート４側の面に、装着用の粘着部８が形成されている。
【００６０】
例えば、図２〜図４に示す男性用尿パッド１を使用する際には、その上端縁１０が手前側（着用者の身体側）となるように男性器１８に宛がい、男性器１８を、表面シート２側の面に付設されたベルト状部材２４の下面側を通すように挿入して使用する。そして、直線Ｌ1，Ｌ2に沿って、パッドの右側縁１２、左側縁１４をパッド中央側に折り返した後、粘着部８を左側縁１４側の表面シート２に対して固定した状態で用いる。こうすることにより、男性用尿パッドは、上端縁側を開口部、下端縁側を頂点とするコーン状（サック状）となるため、男性器を被包することができる。
【００６１】
［２−２］袋状尿パッド：
袋状尿パッドは、粘着部を利用して組み立てるのではなく、尿パッドの縁部を接合しておく等の方法により、予め尿パッドの上端縁側（上部フラップ側）を開口部とする袋状に構成したものである。このような袋状の尿パッドは、組み立てる手間が不要であり、簡便に使用することができるという利点がある。
【００６２】
袋状尿パッドを使用する際には、その上端縁側の開口部が手前側（着用者の身体側）となるように男性器に宛がい、前記開口部から男性器を袋内に挿入する。このときに、表面シート側の面に付設されたベルト状部材を利用して男性器を固定する。袋状尿パッドは、予め袋状に構成されているので、男性器を被包することができる。
【００６３】
なお、上端縁側の開口部は男性器のサイズに合致するように形成する必要はなく、男性器のサイズより大きく構成しておいてもよい。このようにすると、男性器をベルト状部材で固定し難い場合でも、開口部から手を差し入れて、容易に男性器を固定することができる。上端縁側の開口部から尿漏れが起こる可能性は少ないが、上端縁側の開口部の近傍に粘着ファスナーやメカニカルファスナーを付設しておき、男性器固定後に、上端縁側の開口部を封着するようにしてもよい。
【００６４】
［２−３］粘着部：
既に述べたように、組み立て型尿パッドの場合、装着用の粘着部が形成されている必要がある。この粘着部は、通常、剥離ライナーで被覆されており、使用時に剥離ライナーを引き剥がし、粘着部を露出できるように構成されている。粘着部は、粘着剤を塗布した剥離ライナーを貼着する等の方法により、容易に形成することができる。図２〜図１４に示す男性用尿パッド１，７０，８０，９０，１１０，１２０，１３０は、装着用の粘着部８を裏面シート４側の面に形成したものであるが、表面シート２側の面に形成したものも当然に本発明の男性用尿パッドの範囲に含まれる。
【００６５】
また、図２〜図１４に示す男性用尿パッド１，７０，８０，９０，１１０，１２０，１３０には、粘着部として装着用の粘着部８の他、尿パッドを下着や使い捨ておむつに対して固定するための固定用の粘着部４２が形成されている。即ち、本発明の男性用尿パッドにおいては、粘着部が２以上形成されていてもよい。このような固定用の粘着部を形成することにより、着用者の動作等に起因する尿パッドのズレや外れが効果的に防止される。固定用の粘着部については、装着用の粘着部と同様の構成を採用することができる。
【００６６】
［３］男性用尿パッドの構成要素：
本発明の男性用尿パッドは、表面シート、裏面シート及び吸収体を必須構成要素とし、目的に応じて他の構成部材を備えることがある。以下、これらの構成要素について説明する。
【００６７】
［３−１］表面シート：
表面シートは、着用者の肌との接触面側に配置されるシートである。表面シートは、その下面側に配置された吸収体に、着用者の尿や体液を吸収させる必要から、少なくとも吸収体の上面近傍については、着用者の尿や体液を透過させ得る液透過性の材料によって構成される。換言すれば、吸収体の上面近傍が液透過性の材料によって構成されている限り、必ずしも表面シート全体が液透過性の材料で構成されている必要はない。
【００６８】
例えば、尿パッドの中央部については液透過性の材料で構成し、尿パッドの外縁（上端縁、右側縁、左側縁及び下端縁）に沿って、その外縁の少なくとも一部を包囲するように撥水性の材料を配置することも好ましい形態の一つである。中でも、尿パッドの上端縁及び／又は下端縁に沿って、撥水性の材料を配置することが好ましい。
【００６９】
前記のような構成は、尿パッド外縁部からの尿の染み出し漏れを抑制することができるため好ましい。但し、構成部材を少なくし、製造工程を簡素化するという観点からは、表面シート全体を液透過性の材料で構成することが好ましい。例えば、図１５に示す男性用尿パッド１４０は、表面シート２のうち、尿パッドの下端縁１６側の部分を撥水性シート５６とした例である。
【００７０】
表面シートを構成する液透過性の材料としては、例えば、織布、不織布、多孔性フィルム等を挙げることができる。中でも、合成繊維から構成された不織布であることが好ましい。この合成繊維としては、例えば、ポリプロピレン、ポリエチレン、ポリエステル、ナイロン等の成分からなる樹脂が挙げられ、これらの１種の成分のみからなる単繊維であってもよいし、２種以上の成分からなる複合繊維であってもよい。中でも、高強度であるという理由から、ポリエステル／ポリプロピレン、ポリエステル／ポリエチレン、ポリプロピレン／ポリエチレンの複合繊維が好ましい。不織布の種類についても特に制限はなく、エアースルー（カード熱風）、カードエンボス、スパンボンド等の各種製法によって製造された従来公知の不織布を好適に用いることができる。
【００７１】
一方、尿パッドの外縁に沿って配置されることがある撥水性の材料としては、スパンボンドやカードエンボス等の不織布を用いることもできるが、耐水圧が高いという理由から、ＳＭＳ（スパンボンド／メルトブロー／スパンボンド）不織布、ＳＭＭＳ（スパンボンド／メルトブロー／メルトブロー／スパンボンド）不織布等の不織布を用いることが好ましい。
【００７２】
［３−２］裏面シート：
裏面シートは、着用者の衣服との接触面側に配置されるシートである。裏面シートは、着用者の尿や体液が尿パッド外部に漏洩してしまうことを防止する必要から、少なくとも吸収体の下面近傍については、液不透過性の材料によって構成される。但し、構成部材を少なくし、製造工程を簡素化するという観点から、裏面シート全体を液不透過性の材料で構成することが一般的である。
【００７３】
裏面シートを構成する液不透過性の材料としては、例えば、ポリエチレン等の合成樹脂からなる液不透過性フィルム等を挙げることができる。また、おむつ内部の蒸れを防止するために、透湿性のある液不透過性フィルムを用いることも好ましい形態の一つである。透湿性のある液不透過性フィルムの例としては、ポリエチレン樹脂に炭酸カルシウム等のフィラーを加えて混練し、押し出した後、延伸することにより製造される微多孔性ポリエチレンフィルム等を挙げることができる。この微多孔性ポリエチレンフィルムは、０．１〜数μｍの微細な孔を多数有しており、湿気やガスは透過させるが、耐水圧内では水を透過させない撥水性シートである。
【００７４】
なお、裏面シートには、その外面側に、裏面シートと異なる材料によって構成されたシートを貼り合わせてもよい（以下、このようなシートを「カバーシート」と記すことにする）。このカバーシートによって、尿パッドの手触り（触感）を向上させ、裏面シートが着用者の肌に接触した際の不快感を減少させる効果を得ることができる。特に、男性用尿パッドは、下着やおむつ上に載置して用いる尿パッドとは異なり、使用時に裏面シートが着用者の肌に接触するため、このような形態は好ましい。カバーシートを構成する材料としては、例えば、織布、不織布等を挙げることができる。中でも、ポリエチレン、ポリプロピレン、ポリエステル等の熱可塑性樹脂からなる乾式不織布、湿式不織布を好適に用いることができる。
【００７５】
［３−３］吸収体：
吸収体は、着用者の尿や体液を吸収し、保持するための部材であり、既述の両シート（即ち、表面シートと裏面シート）の間の少なくとも一部に介装される。通常は、矩形状に構成された表面シートと裏面シートの中央部に吸収体が介装され、その吸収体を包囲するように、上部フラップ、下部フラップ、右フラップ、左フラップが形成される。吸収体は、着用者の尿や体液を吸収し保持する必要から、吸収性の材料によって構成される。
【００７６】
吸収体を構成する吸収性の材料としては、使い捨ておむつ、その他の吸収性物品に通常使用される従来公知の吸収性材料、例えば、フラッフパルプ（綿状パルプ）、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。
【００７７】
フラッフパルプは、例えば、パルプシートを粉砕機で解繊することにより、その繊維長を５ｍｍ以下としたもの等を好適に用いることができる。この際に用いるパルプシートは、化学パルプシートでも機械パルプシートでもよく、そのパルプ原料についても、針葉樹、広葉樹、わら、竹、ケナフ、古紙等、通常パルプ原料として用いられるものであれば特に制限なく用いることができる。フラッフパルプの使用量は、吸収体の構成により異なるが、５０〜４００ｇ／ｍ2とすることが一般的である。
【００７８】
ＳＡＰとしては、デンプン系、セルロース系、合成樹脂系のＳＡＰが知られており、これらのいずれを用いてもよい。具体的には、デンプン−アクリル酸（塩）グラフト共重合体、デンプン−アクリル酸エチルグラフト共重合体のケン化物、デンプン−メタクリル酸メチルグラフト共重合体のケン化物、デンプン−アクリロニトリルグラフト共重合体のケン化物、デンプン−アクリルアミドグラフト共重合体のケン化物、ポリアクリル酸（塩）、アクリル酸で架橋されたポリエチレンオキシド、ナトリウムカルボキシメチルセルロースの架橋物、ポリビニルアルコール−無水マレイン酸反応物の架橋物等を用いることができる。中でも、自重の２０倍以上の水分を吸収し得る高い吸収性能を有する、ポリアクリル酸ナトリウムを用いることが好ましい。
【００７９】
親水性シートとしては、例えば、ティシュ、吸収紙、親水化処理を行った不織布等を挙げることができる。中でも、坪量が１０〜３０ｇ／ｍ2の範囲内のものを用いることが好ましい。
【００８０】
これらの吸収性材料は、通常、単層ないしは複層のマット状として用いられる。この際、前記の吸収性材料のうち１種を単独で用いてもよいし、２種以上を併用してもよい。中でも、フラッフパルプを主体とし、ＳＡＰを併用したものが好ましい。この際、ＳＡＰはフラッフパルプの各マット中に均一に混合されていてもよいし、複層のフラッフパルプの層間に層状に配置されていてもよい。ＳＡＰの量は、乾燥したフラッフパルプ１００質量部に対して１０〜５００質量部とすることが好ましく、１５〜３００質量部とすることがより好ましい。このような量とすることにより、ＳＡＰの粒子は相互の干渉が最小限に留められるため、粒子が透過障壁を形成することが少なく、尿や体液を３次元方向に透過させ、吸収させることが可能となる。
【００８１】
なお、本発明の男性用尿パッドにおいては、吸収体の全体を親水性シートにより包み込む構成とすることが好ましい。このような構成は、吸収体からＳＡＰが漏洩することを防止し、吸収体に形状安定性を付与することができるという利点がある。
【００８２】
吸収体の形状は、例えば、図２に示す男性用尿パッド１の吸収体６のような矩形状の他、砂時計型、Ｔ字型等、従来の使い捨ておむつ、その他の吸収性物品に通常使用される形状であればいかなる形状でも採用することができる。
【００８３】
既に説明した通り、図１２〜図１５に示す男性用尿パッド１２０，１３０，１４０のように、吸収体６としてＵ字型吸収体３６を用いてもよい。Ｕ字型吸収体は、その切り欠け部が尿パッドの上端縁側を向くように、即ち、男性器の挿入部に対応する位置に配置することによって、男性器に対する固定効果の向上、余分なフラップ面積の減少、尿パッドの装着性の向上、吸収体の装填量増加（吸収力増大）といった好ましい効果を得ることができる。また、切り欠け部に、既に述べたスポンジ状部材を配置することができる点においても好ましい。
【００８４】
なお、吸収体には、その上面側に（例えば、吸収体と表面シートとの間に）、尿や体液等の液体を拡散させるためのシートを付帯的に配置してもよい。本明細書においては、このようなシートを、特に「セカンドシート」と称することにする。このセカンドシートを付設すると、着用者の姿勢等に起因して、表面シート下面側の空間が十分に形成されないような場合でも、尿や体液等の吸収速度が低下し難く、吸収速度の低下による尿や体液等の漏れを防止することが可能となる。
【００８５】
セカンドシートを構成する材料としては、親水性で液透過性の材料、例えば、織布、不織布、多孔性プラスチック、フラッフパルプ等を挙げることができる。これらの構成素材としては、ポリプロピレン、ポリエチレン、ポリエステル、レーヨン、パルプ、或いはこれらの複合繊維等を挙げることができる。パルプとしては、カーリーセルロースファイバー等のけん縮繊維を好適に用いることができる。
【００８６】
［３−４］ベルト状部材：
ベルト状部材は、不織布等によって構成することができる。不織布としては、例えば、スパンボンド、カードエンボス、エアースルー、ケミカルボンド、メルトブロー、スパンレース、ニードルパンチ等の従来公知の方法により作成された不織布を用いることができる。不織布を構成する繊維の材質については特に制限はなく、例えば、ポリオレフィン系樹脂、ポリエステル系樹脂、ポリアミド系樹脂等の単一樹脂からなる繊維であってもよいし、ポリエチレン・ポリプロピレン、ポリエチレン・ポリエステル等で形成されたシートコア型複合繊維やサイドバイサイド型複合繊維であってもよい。
【００８７】
また、ベルト状部材自体を伸縮性材料で構成する場合、その伸縮性材料としては、例えば、伸縮性フィルムや伸縮性不織布等を挙げることができる。中でも、肌触りがよいという点で伸縮性不織布により構成することが好ましい。伸縮性不織布は、伸縮性シートと不織布を各々少なくとも１層ずつ備えた不織布であり、加熱、圧着、超音波処理、ホットメルト、ニードルパンチ、高圧液体流処理による交絡等の方法によって、伸縮性シートと不織布とを一体化させたものである。
【００８８】
伸縮性シートとしては、ポリウレタン、スチレン−ブタジエン−スチレンブロック共重合体（ＳＢＳ）、スチレン−ブタジエン−エチレン−スチレンブロック共重合体（ＳＢＥＳ）、スチレン−イソプレン−スチレンブロック共重合体（ＳＩＳ）等のエラストマーをシート状ないしネット状としたものを好適に用いることができる。不織布としては、ベルト状部材の項で既に例示した不織布を用いることができる。
【００８９】
伸縮性不織布の中でも、ポリウレタン弾性繊維１００％の細い連続フィラメントがランダムに積層され交点のみ溶着された構造を有する、熱可塑性ポリウレタンエラストマーのスパンボンド不織布（例えば、商品名：エスパンシオーネ、カネボウ合繊社製等）を好適に用いることができる。この不織布は、伸縮性と通気性を有する点において好ましい。
【００９０】
［３−４］ベルト伸縮材：
既に説明したように、本発明の男性用尿パッドは、ベルト伸縮材を備えていることが好ましい。ベルト伸縮材としては、非伸長状態を１００％とした場合の伸長率が１３０〜５００％の範囲内の材料を用いることが好ましく、伸長率が２００〜３００％の範囲内の材料を用いることが更に好ましい。伸長率が１３０〜５００％の範囲内の材料を用いることによって、ベルト伸縮材は着用者の動きに追従して伸縮することが可能となる。従って、男性器周りに隙間が形成され難くなり、男性器を確実に固定するとともに、男性器周りからの尿漏れを効果的に防止することができる。
【００９１】
一方、伸長率が１３０％未満の材料を用いた場合には、ベルト伸縮材の弾性力が不十分となり易いため、男性器周りに隙間が形成され易いことに加え、着用者が男性器を挿入する際に、男性器の挿入部を十分に開口させることが困難となり、尿パッドの装着が困難となるおそれがある。また、伸長率が５００％を超える材料を用いた場合には、ベルト状部材が必要以上に縮小されるために尿パッドの装着が困難となるばかりか、着用者の男性器を締め付け過ぎるため肌が赤くなる等のスキントラブルが発生するおそれがある。
【００９２】
このような条件を満たす限り、構成材料や形状は特に限定されないが、例えば、天然ゴムや合成ゴム（ウレタンゴム等）等の弾性材から構成された糸ゴムや平ゴム、或いは伸縮性フィルム等を挙げることができる。これらの中では、糸ゴム又は平ゴムが好ましい。なお、糸ゴムの太さとしては、３１０〜３７３０デシテックスのものが好ましく、４７０〜１２４０デシテックスのものが更に好ましい。平ゴムとしては、その幅が０．５〜５．０ｍｍのものが好ましく、０．８〜３．０ｍｍのものが更に好ましい。また、平ゴムの厚さは、０．１〜１．０ｍｍのものが好ましく、０．２〜０．５ｍｍのものが更に好ましい。なお、複数のベルト伸縮材を用いる場合、その太さや伸長率等も目的に応じて、前記範囲の中から適宜設定すればよく、全て同じものを用いる必要はない。
【００９３】
通常、ベルト伸縮材は、裏面シート等に対して、接着剤その他の手段により固定される。固定方法としては、例えば、ホットメルト接着剤、澱粉系ないしカルボキシメチルセルロース（ＣＭＣ）のような水溶性の糊、その他の流動性の高い接着剤を用いた接着であってもよいし、熱や超音波等による溶着であってもよい。
【００９４】
また、本発明の男性用尿パッドにおいては、ベルト伸縮材以外の伸縮材（以下、「パッド伸縮材」と称することにする）を備えていてもよい。例えば、図２〜図４に示す男性用尿パッド１は、尿パッドの下端縁１６に沿って２本のパッド伸縮材３８ａ，３８ｂを配置し、尿パッドの上端縁１０に沿って４本のパッド伸縮材３８ｃ，３８ｄ，３８ｅ，３８ｆを配置した例である。このような構成は、パッド伸縮材によってギャザーが形成されるため、尿パッドをコーン状（サック状）に組み立てた際に、その継ぎ目部分からの尿漏れを効果的に防止することができるという利点がある。
【００９５】
パッド伸縮材の構成材料、形状等については、ベルト伸縮材と同様の構成を採用することができる。また、パッド伸縮材の本数、配置位置、長さ等については特に制限はなく、目的に応じた構成を採用することができる。
【００９６】
［３−５］立体ギャザー：
本発明の男性用尿パッドにおいては、尿パッドの外縁（上端縁、右側縁、左側縁及び下端縁）に沿って、その外縁の少なくとも一部を包囲するように立体ギャザーを形成することも好ましい形態の一つである。中でも、尿パッドの上端縁及び／又は下端縁に沿って、立体ギャザーを形成することが好ましい。このような構成は、尿パッド外縁部からの尿の染み出し漏れを抑制することができるため好ましい。
【００９７】
立体ギャザーの構成は、従来の使い捨ておむつ、その他の吸収性物品に通常使用される構成を採用することができる。例えば、帯状のシート材の一部に伸縮材（立体ギャザー伸縮材）を配置し、その伸縮材によってシート材にギャザー（襞）を形成したもの等が立体ギャザーとして用いられる。
【００９８】
前記シート材を構成する材料としては、表面シートの項で例示した撥水性の材料を用いることが好ましい。但し、液透過性の材料や撥水性の材料に対して、プラスチックフィルムを貼り合わせた液不透過性の材料を用いてもよい。立体ギャザーの高さは、１０〜５０ｍｍ程度とすることが一般的である。立体ギャザー伸縮材の構成材料、形状等については、ベルト伸縮材と同様の構成を採用することができる。
【００９９】
［４］製造方法：
以下、本発明の男性用尿パッドを製造する方法の一例を、図２に示す男性用尿パッド１を連続的に製造する場合の例により説明する。このような男性用尿パッドは、図２に示す男性用尿パッド１が、図面上下方向に向かって複数個、連続的に配置されたような構造を呈する「尿パッド連続体」から製造することができる。以下、適宜、図２を参照しながら説明する。
【０１００】
まず、裏面シート４となる長尺のシート材（裏面シート材）の上面に、その裏面シート材の長手方向に沿って、親水性シートに包まれた複数の吸収体６を断続的に配置するとともに、パッド伸縮材３８ａ，３８ｂ，３８ｃ，３８ｄ，３８ｅ，３８ｆを連続的に配置する。更にその上面に表面シート２となる長尺のシート材（表面シート材）を配置し、各吸収体６の周縁部を裏面シート材と表面シート材とで挟み込むように封着して、上部フラップ２０、下部フラップ２８、右フラップ３０、左フラップ３２を形成する。こうすることにより、複数の尿パッドが長手方向に向かって連続的に配置された、尿パッド連続体を得ることができる。
【０１０１】
前記の工程と並行して、尿パッド連続体の上端縁１０に沿って、ベルト状部材２４となる長尺のシート材（ベルト材）を付設する。ベルト材としては、２枚のシート材が、ベルト伸縮材３４ａ，３４ｂを挟み込んだ形で貼り合わされた、別体のシート材を予め用意しておく。このベルト材を尿パッド連続体の上端縁１０に沿って接着することによって固着部４６ａ，４６ｂを形成し、ベルト状部材２４を付設する。
【０１０２】
次いで、長尺の剥離ライナーに粘着剤を塗布し、所定の長さで切断しながら、裏面シート材表面の所定の位置に貼着することで、装着用の粘着部８及び固定用の粘着部４２を断続的に形成する。最後に、尿パッド連続体を複数の吸収体６の間隙部（右フラップ３０及び左フラップ３２に相当する部分）で切り離すことによって、個別に分離された複数の男性用尿パッド１を得る。このようにして、表面シート２、裏面シート４及び両シートの間に介装された吸収体６を備えた男性用尿パッド１を複数得ることができる。
【０１０３】
前記のような一連の工程は、機械的な手段によって連続的に行うことが可能である。例えば、長尺のシート材をローラーから連続的に送出する等の方法・装置を採用することにより、男性用尿パッドの連続製造が可能となり、生産性の向上に資する。
【産業上の利用可能性】
【０１０４】
本発明の男性用尿パッドは、乳幼児用ないしは介護を必要とする高齢者や障害者等の成人用の尿パッドとして利用することが可能である。そして、本発明の男性用尿パッドは、男性器に対する固定効果が高いので、男性器が萎縮してしまうことが多い高齢者・障害者等に特に好適に用いることができる。
【図面の簡単な説明】
【０１０５】
【図１】従来の男性用尿パッドの一の実施形態を示す平面図であり、尿パッドを表面シート側から見た状態を示す一部切り欠き平面図である。
【図２】本発明の男性用尿パッドの一の実施形態を示す平面図であり、尿パッドを表面シート側から見た状態を示す一部切り欠き平面図である。
【図３】本発明の男性用尿パッドを示す断面図であり、図２に示す男性用尿パッドをＸ−Ｘ’線に沿って切断した断面を示す概略断面図である。
【図４】本発明の男性用尿パッドの使用方法を示す平面図であり、図２に示す男性用尿パッドを表面シート側から見た状態を示す一部切り欠き平面図である。
【図５】本発明の男性用尿パッドの別の実施形態を示す平面図であり、尿パッドを表面シート側から見た状態を示す一部切り欠き平面図である。
【図６】本発明の男性用尿パッドを示す断面図であり、図５に示す男性用尿パッドをＸ−Ｘ’線に沿って切断した断面を示す概略断面図である。
【図７】本発明の男性用尿パッドの使用方法を示す平面図であり、図５に示す男性用尿パッドを表面シート側から見た状態を示す一部切り欠き平面図である。
【図８】本発明の男性用尿パッドの更に別の実施形態を示す平面図であり、尿パッドを表面シート側から見た状態を示す一部切り欠き平面図である。
【図９】本発明の男性用尿パッドの更にまた別の実施形態を示す平面図であり、尿パッドを表面シート側から見た状態を示す一部切り欠き平面図である。
【図１０】本発明の男性用尿パッドの使用方法を示す平面図であり、図９に示す男性用尿パッドを表面シート側から見た状態を示す一部切り欠き平面図である。
【図１１】本発明の男性用尿パッドの別の実施形態を示す平面図であり、尿パッドを表面シート側から見た状態を示す一部切り欠き平面図である。
【図１２】本発明の男性用尿パッドの更に別の実施形態を示す平面図であり、尿パッドを表面シート側から見た状態を示す一部切り欠き平面図である。
【図１３】本発明の男性用尿パッドの更にまた別の実施形態を示す平面図であり、尿パッドを表面シート側から見た状態を示す一部切り欠き平面図である。
【図１４】本発明の男性用尿パッドを示す断面図であり、図１３に示す男性用尿パッドをＸ−Ｘ’線に沿って切断した断面を示す概略断面図である。
【図１５】本発明の男性用尿パッドの別の実施形態を示す平面図であり、尿パッドを表面シート側から見た状態を示す一部切り欠き平面図である。
【符号の説明】
【０１０６】
１，７０，８０，９０，１００，１１０，１２０，１３０，１４０：男性用尿パッド、２：表面シート、４：裏面シート、６：吸収体、８，４２，５０：粘着部、１０：上端縁、１２：右側縁、１４：左側縁、１６：下端縁、１８：男性器、２０：上部フラップ、２４：ベルト状部材、２８：下部フラップ、３０：右フラップ、３２：左フラップ、３４，３４ａ，３４ｂ：ベルト伸縮材、３６：Ｕ字型吸収体、３８，３８ａ，３８ｂ，３８ｃ，３８ｄ，３８ｅ，３８ｆ：パッド伸縮材、４０：スポンジ状部材、４４：挿入部、４６，４６ａ，４６ｂ：固着部、４８，４８ａ，４８ｂ：自由端、５２：端部、５４：被粘着部、５６：撥水性シート。
【図１】
2007068642.tif 000003
【図２】
2007068642.tif 000004
【図３】
2007068642.tif 000005
【図４】
2007068642.tif 000006
【図５】
2007068642.tif 000007
【図６】
2007068642.tif 000008
【図７】
2007068642.tif 000009
【図８】
2007068642.tif 000010
【図９】
2007068642.tif 000011
【図１０】
2007068642.tif 000012
【図１１】
2007068642.tif 000013
【図１２】
2007068642.tif 000014
【図１３】
2007068642.tif 000015
【図１４】
2007068642.tif 000016
【図１５】
2007068642.tif 000017